(57)【要約】【課題】次回に同じサービスを利用したい時に、ユーザがＮＷ装置アドレスやユーザＩＤなどを入力することなく、当該ＮＷ装置への接続を可能にする。【解決手段】発側端末１に保存する接続環境情報として、ＣＰＬ（Ｃａｌｌ  Ｐｒｏｃｅｓｓｉｎｇ  Ｌａｎｇｕａｇｅ）により記述されたプログラムを利用して、次回のサービス利用時に、前回の同サービス利用時に保存されたＣＰＬプログラムを、発側端末１で実行することにより、自動的に当該ＮＷ装置２，３への接続およびユーザ認証を実施する。  また、ＣＰＬプログラムをＲＥＧＩＳＴＥＲメソッドを使用して、自端末１が収容されるＳＩＰサーバ（図示省略）へ送信し、ＳＩＰサーバにおいてＣＰＬプログラムを実行することにより、自動的にユーザが利用したいサービスを提供するＮＷ装置２，３への接続およびユーザ認証を実施する。【選択図】  図１
2005276051.tif 000002
【特許請求の範囲】
【請求項１】
ＳＩＰまたはＳＩＭＰＬＥ通信網に接続された端末装置とネットワーク装置間で、該ネットワーク装置が提供するサービスを利用する端末通信情報保存方法において、
自ネットワーク装置が提供するサービスを利用した端末装置に対して、自ネットワーク装置と接続したユーザ情報として、接続時のユーザＩＤおよび認証情報を含む接続に必要な制御プログラムを初回利用時に前記端末装置に保存し、
該端末装置からの次回以降の自ネットワーク装置への接続の際に、保存されている制御プログラムを他の端末装置もしくは該ネットワーク装置へ送信し、
該制御プログラムを実行することにより、自ネットワーク装置と自ネットワーク装置が提供するサービスを利用する端末装置との接続環境情報を再利用することを特徴とする端末通信情報保存方法。
【請求項２】
請求項１記載の端末通信情報保存方法において、
前記保存されている制御プログラムを送信する他の端末装置は、前記端末装置が収容されているサーバであり、該サーバにて該制御プログラムを実行することを特徴とする端末通信情報保存方法。
【請求項３】
ＳＩＰまたはＳＩＭＰＬＥ通信網に接続された端末装置とネットワーク装置間で、該ネットワーク装置が提供するサービスを利用する端末通信情報保存システムにおいて、
該端末装置は、初回にネットワーク装置が提供するサービスを利用する際に、該ネットワーク装置と接続したユーザ情報として、接続時のユーザＩＤおよび認証情報を含む接続に必要な制御プログラムを保存する手段を備え、
該ネットワーク装置は、自ネットワーク装置が提供するサービスを利用した端末装置あるいは該端末装置を収容するサーバが、保存されている制御プログラムを実行することにより、自ネットワークへの接続およびユーザ認証を実施するとともに、提供するサービスを再利用させる手段を備えたことを特徴とする端末通信情報保存システム。
【発明の詳細な説明】
【技術分野】
【０００１】
本発明は、ＳＩＰ／ＳＩＭＰＬＥ通信網に接続された端末とＮＷ（ネットワーク）装置間での端末通信情報保存方法およびそのシステムに関し、特に認証情報および接続に必要な制御プログラムの保存方法とそのシステムに関する。
【背景技術】
【０００２】
従来より、検索サービスや情報提供サービスや入場予約サービスなどを提供するＮＷ装置に対して、ユーザ端末からアクセスする場合には、開始手順としてＳＩＰ（Ｓｅｓｓｉｏｎ  Ｉｎｉｔｉａｔｉｏｎ  Ｐｒｏｔｏｃｏｌ）やＳＩＭＰＬＥ（ＳＩＰ  ｆｏｒ  Ｉｎｓｔａｎｔ  Ｍｅｓｓａｇｉｎｇ  ａｎｄ  Ｐｒｅｓｅｎｃｅ  Ｌｅｖｅｒａｇｉｎｇ  Ｅｘｔｅｎｓｉｏｎｓ）（非特許文献１参照）を使用する通信網がある。このようなＳＩＰ／ＳＩＭＰＬＥ通信網に接続されたユーザ端末とサービス提供用ＮＷ装置との間では、ユーザが利用したいサービスを提供するＮＷ装置への接続環境情報やサービス利用情報については、ユーザ端末からアクセスする都度、ユーザ端末が予め用意するか、目的のＮＷ装置に問い合わせて取得していた。従って、従来においては、サービスを提供するＮＷ装置への接続環境情報やサービス利用情報について、端末への情報保存がなされない場合には、次回接続時にＮＷ装置アドレスやユーザＩＤ等の情報を再度ユーザが入力する必要があった。
【０００３】
従来の技術として、Ｗｅｂサーバでは常識となっているクッキー（Ｃｏｏｋｉｅ）（非特許文献２参照）がある。これは、Ｗｅｂサイトの提供者が、Ｗｅｂブラウザを通じて訪問者のコンピュータに一時的にデータを書き込んで保存させるものである。すなわち、ユーザに関する情報や最後にサイトを訪れた日時、そのサイトの訪問回数などを記録しておくことができる。Ｃｏｏｋｉｅは、ユーザの識別に使われ、認証システムや、ＷＷＷによるサービスをユーザごとにカスタマイズするパーソナライズシステムの要素技術として利用される。
【０００４】
【非特許文献１】ＳＩＰ／ＳＩＭＰＬＥ通信網（インターネット＜ＵＲＬ：ｈｔｔｐ：／／ｗｗｗ．ｉｅｔｆ．ｏｒｇ／＞
【非特許文献２】Ｃｏｏｋｉｅ（インターネット＜ＵＲＬ：ｈｔｔｐ：／／ｅ−ｗｏｒｄｓ．ｊｐ／ｗ／ｃｏｏｋｉｅ．ｈｔｍｌ＞
【発明の開示】
【発明が解決しようとする課題】
【０００５】
しかしながら、上記のＣｏｏｋｉｅでは、１つのＣｏｏｋｉｅに４０９６バイトのデータを記録でき、最大で３００のＣｏｏｋｉｅを保存できるが、１台のサーバが同じコンピュータに対して発行できるＣｏｏｋｉｅの数は２０個に制限され、かつそれぞれ有効期限が設定された場合には、有効期限を過ぎたものは消滅する。
ユーザに要求される機能としては、ＮＷ装置で提供されるサービスの初回利用時に、ＮＷ装置の装置アドレスとサービスへのログイン用ユーザＩＤとパスワードをＮＷ装置に送信して、ＮＷ装置との接続を可能にし、ユーザ端末は入力したＮＷ装置の装置アドレスとログイン用ユーザＩＤとパスワードを自動保存して、次回のサービス利用時に保存したデータをＮＷ装置に送信して接続を可能にすることである。
【０００６】
（目的）
本発明の目的は、このような要求を解決し、ユーザの利用したいサービスを提供するＮＷ装置との接続の際に、自動的に接続環境情報等を保存し、次の同サービス利用時にこれを利用することにより、ユーザがＮＷ装置アドレスやユーザＩＤなどを入力することなく、当該ＮＷ装置への接続を可能にする端末通信情報保存方法およびそのシステムを提供することにある。
【課題を解決するための手段】
【０００７】
本発明の端末通信情報保存方法は、端末に保存する接続環境情報として、ＣＰＬ（Ｃａｌｌ  Ｐｒｏｃｅｓｓｉｎｇ  Ｌａｎｇｕａｇｅ）により記述されたプログラムを利用して、次回のサービス利用時に、前回の同サービス利用時に保存されたＣＰＬプログラムを、端末で実行することにより、自動的に当該ＮＷ装置への接続およびユーザ認証を実施する。
また、ＣＰＬプログラムをＲＥＧＩＳＴＥＲメソッドを使用して、自端末が収容されるＳＩＰサーバへ送信し、ＳＩＰサーバにおいてＣＰＬプログラムを実行することにより、自動的にユーザが利用したいサービスを提供するＮＷ装置への接続およびユーザ認証を実施する。
【発明の効果】
【０００８】
本発明によれば、ＳＩＰ／ＳＩＭＰＬＥ通信網において、ユーザの利用したいサービスを提供するＮＷ装置との接続の際に、端末に接続環境情報等を保存して、次回の同サービス利用時にこれを利用することにより、ユーザがＮＷ装置アドレスやユーザＩＤなどを入力することなく、当該ＮＷ装置への接続が可能になる。
【発明を実施するための最良の形態】
【０００９】
以下、図面により本発明の実施例を説明する。
図１は、本発明の一実施例に係る端末通信情報保存システムの構成図である。
図１において、１０はインターネットなどの通信網、１はユーザＡが操作する発側端末、２はサービスＢを提供するＮＷ装置、３はサービスＣを提供するＮＷ装置である。
まず、1)発側端末１は通信網１０を経由してＮＷ装置２にアクセスし、初回にサービスＢを利用するため、ＳＩＰやＳＩＭＰＬＥを使用してＮＷ装置アドレス、ユーザＩＤ、およびパスワードなどを入力する。2)これらの接続環境情報（ア）を入力時に発側端末１にも保存する。5)次回に、発側端末１がサービスＢを利用する際に、同サービスの利用の際の接続環境情報が存在するか否かを確認し、6)接続環境情報（ア）の実行により、ＮＷ装置２への接続とサービスＢのユーザ認証を自動的に実施する。
【００１０】
一方、3)発側端末１は、通信網１０を経由してＮＷ装置３にアクセスし、初回にサービスＣを利用するため、ＮＷ装置アドレス、ユーザＩＤおよびパスワードなどを入力する。4)サービスＣ利用時の接続環境情報を保存する。サービスＢの場合と同じようにして、次回にサービスＣを利用する際に、同サービスの利用の際の接続環境情報が存在するか否かを確認し、存在すれば接続環境情報の実行により、ＮＷ装置２への接続とサービスＣのユーザ認証を自動的に実施する。
【００１１】
図２は、本発明の一実施例に係る端末通信情報保存方法の手順を示すフローチャートである。
ステップ１０１）ユーザＡが操作する発側端末１は、ＮＷ装置２で提供されるサービスＢの初回利用時に、ＮＷ装置２のアドレスおよびサービスＢへのログイン用のユーザＩＤとパスワードを入力し、サービスＢを利用する。
ステップ１０２）発側端末１には、ステップ１で入力したＮＷ装置２のアドレスおよびサービスＢへのログイン用のユーザＩＤとパスワードをＣＰＬプログラム（ア）として保存する。
【００１２】
ステップ１０３）ユーザＡが操作する発側端末１は、ＮＷ装置３で提供されるサービスＣの初回利用時に、ＮＷ装置３のアドレスおよびサービスＣへのログイン用のユーザＩＤとパスワードを入力し、サービスＣを利用する。
ステップ１０４）発側端末１には、ステップ３で入力したＮＷ装置３のアドレスおよびサービスＣへのログイン用のユーザＩＤとパスワードをＣＰＬプログラム（イ）として保存する。
【００１３】
ステップ１０５）発側端末１が次回にサービスＢを利用する際に、端末１に保存されているＣＰＬプログラムのうち、前回の当該サービス利用時に保存されたＣＰＬプログラムが存在するかを確認する。
ステップ１０６）存在する場合には、ステップ１０７に進む。
ステップ１０７）発側端末１に保存されたＣＰＬプログラム（ア）の実行により、ＮＷ装置２への接続とサービスＢのユーザ認証を自動的に実施する。
ステップ１０６）存在しない場合には、ステップ１０８に進む。
ステップ１０８）ユーザ認証を行わない。
【００１４】
これにより、ユーザＡが操作する発側端末１は、２回目以降のサービスＢ利用時に、ＮＷ装置２のアドレスやサービスＢログイン用ユーザＩＤ、パスワードを入力することなく、サービスＢの利用が可能となる。
なお、２回目の利用としてサービスＢのみのフローを記述したが、サービスＣの利用も全く同じである。
【００１５】
なお、ＣＰＬ（Ｃａｌｌ  Ｐｒｏｃｅｓｓｉｎｇ  Ｌａｎｇｕａｇｅ）プログラムを利用する場合に、初回アクセス時にはＣＰＬプログラムは存在しないが、初回のアクセスで作成されたＣＰＬプログラムを次回以降に利用することになる。実現するサービスにより、接続環境情報の保存の方法は異なるが、一般的には、発側端末１で取得した情報を次回に使用するための制御手順に組み入れた形でＣＰＬ表記を作成し、それを保存する。
【００１６】
以上の実施例では、次回の利用の際に、発側端末１が直接、ＣＰＬプログラムを利用してサービスを提供するＮＷ装置にアクセスする場合を説明したが、別の実施例では、以下に説明するように、ＳＩＰサーバにＣＰＬプログラムを送出する方法もある。
すなわち、別の実施例においては、発側端末１がＣＰＬプログラムをＲＥＧＩＳＴＥＲメソッド（クライアントが自情報をｌｏｃａｔｉｏｎサーバ等に登録するためのリクエスト信号）を使用して自端末が収容されているＳＩＰサーバ（ＳＩＰ信号を処理可能なサーバ）に対して送信する。ＳＩＰサーバにおいてＣＰＬプログラムを実行することにより、自動的に発側端末１が利用したいサービスを提供するＮＷ装置への接続およびユーザ認証を実施する。
【図面の簡単な説明】
【００１７】
【図１】本発明の一実施例に係る端末通信情報保存システムの構成図である。
【図２】本発明の一実施例に係る端末通信情報保存方法の手順を示すフローチャートである。
【符号の説明】
【００１８】
１…発側端末、２…サービスＢを提供するＮＷ装置、
３…サービスＣを提供するＮＷ装置、１０…通信網。
【図１】
2005276051.tif 000003
【図２】
2005276051.tif 000004